(57)【要約】【課題】耕耘土の移動方向を内盛側と外盛側の間で円滑に切り替えることができ、かつ、耕耘作業の際に、耕耘作業機の振動を減少させることでき、耕耘作業機の馬力負荷の増大や負荷変動の増大を抑えることが可能な耕耘爪を提供する。【解決手段】耕耘爪２０Ｌ・２０Ｒは、管理機１に取り付けられた状態で、正回転時の打込み側部分２２Ｌ・２２Ｒ、及び逆回転時の打込み側部分２４Ｌ・２４Ｒの内の、一方の打込み側部分２２Ｌ・２２Ｒの内側面には、取付基部２１Ｌ・２１Ｒ側から先端に向かうに伴って管理機１の機体１０の幅方向Ｗ内側に向かうように湾曲する内側湾曲面２３Ｌ・２３Ｒが形成され、他方の打込み側部分２４Ｌ・２４Ｒの外側面には、取付基部２１Ｌ・２１Ｒ側から先端に向かうに伴って機体１０の幅方向Ｗ外側に向かうように湾曲する外側湾曲面２５Ｌ・２５Ｒが形成され、先端縁部には、切欠２７Ｌ・２７Ｒが形成される。【選択図】図２
2015195745.tif 000002
【特許請求の範囲】
【請求項１】
耕耘作業機に取付可能な耕耘爪であって、
前記耕耘作業機に取り付けられた状態で、正回転時の打込み側部分、及び逆回転時の打込み側部分の内の、一方の打込み側部分の内側面には、取付基部側から先端に向かうに伴って前記耕耘作業機の機体の幅方向内側に向かうように湾曲する内側湾曲面が形成され、他方の打込み側部分の外側面には、取付基部側から先端に向かうに伴って前記機体の幅方向外側に向かうように湾曲する外側湾曲面が形成され、
先端縁部には、切欠が形成されることを特徴とする、
耕耘爪。
【請求項２】
前記切欠により、前記一方の打込み側部分の先端縁部と、前記他方の打込み側部分の先端縁部を分断し、
前記切欠の周辺において、前記一方の打込み側部分の先端縁部を前記機体の幅方向内側に突出させて内側湾曲曲げ部を形成し、前記他方の打込み側部分の先端縁部を前記機体の幅方向外側に突出させて外側湾曲曲げ部を形成することを特徴とする、
請求項１に記載の耕耘爪。
【請求項３】
爪幅方向に平行な断面に関しては、前記一方の打込み側部分の断面が、前記爪幅方向外側に向かうのに伴って前記機体の幅方向外側に離間し、前記他方の打込み側部分の断面が、前記爪幅方向外側に向かうのに伴って前記機体の幅方向内側に離間するねじり形状を有することを特徴とする、
請求項１又は請求項２に記載の耕耘爪。
【請求項４】
前記一方の打込み側部分における前記機体の幅方向外側への最大離間量が、前記他方の打込み側部分における前記機体の幅方向内側への最大離間量よりも小さく、
前記一方の打込み側部分の前記爪幅方向のサイズが、前記他方の打込み側部分の前記爪幅方向のサイズよりも小さいことを特徴とする、
請求項３に記載の耕耘爪。
【請求項５】
前記一方の打込み側部分の基部には一側湾曲部が形成され、前記他方の打込み側部分の基部には他側湾曲部が形成され、前記一側湾曲部の湾曲の程度と、前記他側湾曲部の湾曲の程度が互いに異なることを特徴とする、
請求項１〜請求項４のいずれか一項に記載の耕耘爪。
【発明の詳細な説明】
【技術分野】
【０００１】
本発明は、耕耘爪に関する。
【背景技術】
【０００２】
従来、耕耘爪を用いて内盛耕耘及び外盛耕耘を行う管理機の技術は公知である（例えば、特許文献１）。
特許文献１に記載の管理機は、耕耘爪による耕耘土の移動方向を内盛側と外盛側の間で切り換えて、内盛耕耘・外盛耕耘の切り換えを行うときには、爪軸を付け替えて、耕耘爪の先端の向きを変える必要があった。そして、爪軸を付け替える際に、爪軸を固定するためのピンの抜き差しを行わなければならなかった。
【０００３】
しかし、爪軸の付け替えを行う際には、前記ピンの向きを間違えないように注意しながら作業を行わなければならなかったり、泥のついた耕耘爪を扱わなければならなかったりして、作業が面倒であった。また、ピンが変形していたときには、爪軸の付け替えが困難になるおそれがあった。これにより、内盛耕耘・外盛耕耘の切り換えを行う際に手間がかかることがあった。
【０００４】
また、耕耘爪を回転させて耕耘作業を行う際に、耕耘爪の耕盤面に接する部分の距離が長くなると、耕耘爪が土壌から受ける負荷が増大する。これにより管理機の振動が増大し、管理機の馬力負荷や負荷変動が増大してしまう。
【先行技術文献】
【特許文献】
【０００５】
【特許文献１】特開２００７−２５２２２２号公報
【発明の概要】
【発明が解決しようとする課題】
【０００６】
本発明は、耕耘土の移動方向を内盛側と外盛側の間で円滑に切り換えることができ、かつ、耕耘作業の際に、耕耘作業機の振動を減少させることでき、耕耘作業機の馬力負荷の増大や負荷変動の増大を抑えることが可能な耕耘爪を提供する。
【課題を解決するための手段】
【０００７】
請求項１に記載の耕耘爪は、
耕耘作業機に取付可能な耕耘爪であって、
前記耕耘作業機に取り付けられた状態で、正回転時の打込み側部分、及び逆回転時の打込み側部分の内の、一方の打込み側部分の内側面には、取付基部側から先端に向かうに伴って前記耕耘作業機の機体の幅方向内側に向かうように湾曲する内側湾曲面が形成され、他方の打込み側部分の外側面には、取付基部側から先端に向かうに伴って前記機体の幅方向外側に向かうように湾曲する外側湾曲面が形成され、
先端縁部には、切欠が形成される。
【０００８】
請求項２に記載の耕耘爪は、
前記切欠により、前記一方の打込み側部分の先端縁部と、前記他方の打込み側部分の先端縁部を分断し、
前記切欠の周辺において、前記一方の打込み側部分の先端縁部を前記機体の幅方向内側に突出させて内側湾曲曲げ部を形成し、前記他方の打込み側部分の先端縁部を前記機体の幅方向外側に突出させて外側湾曲曲げ部を形成する。
【０００９】
請求項３に記載の耕耘爪は、
爪幅方向に平行な断面に関しては、前記一方の打込み側部分の断面が、前記爪幅方向外側に向かうのに伴って前記機体の幅方向外側に離間し、前記他方の打込み側部分の断面が、前記爪幅方向外側に向かうのに伴って前記機体の幅方向内側に離間するねじり形状を有する。
【００１０】
請求項４に記載の耕耘爪は、
前記一方の打込み側部分における前記機体の幅方向外側への最大離間量が、前記他方の打込み側部分における前記機体の幅方向内側への最大離間量よりも小さく、
前記一方の打込み側部分の前記爪幅方向のサイズが、前記他方の打込み側部分の前記爪幅方向のサイズよりも小さい。
【００１１】
請求項５に記載の耕耘爪は、
前記一方の打込み側部分の基部には一側湾曲部が形成され、前記他方の打込み側部分の基部には他側湾曲部が形成され、前記一側湾曲部の湾曲の程度と、前記他側湾曲部の湾曲の程度が互いに異なる。
【発明の効果】
【００１２】
本発明は、耕耘爪の回転方向を変更することで、耕耘爪による耕耘土の移動方向を内盛側と外盛側の間で円滑に切り替えることが可能となるという効果を奏する。
また、本発明は、耕耘作業の際に、耕耘作業機の振動を減少させることができ、耕耘作業機の馬力負荷の増大や負荷変動の増大を抑えることが可能になるという効果を奏する。
【図面の簡単な説明】
【００１３】
【図１】管理機の側面図。
【図２】管理機に取り付けられた状態の耕耘爪を前方から見た図。
【図３】（ａ）左側の耕耘爪の斜視図、（ｂ）図３（ａ）の耕耘爪の裏面の斜視図。
【図４】（ａ）図３（ｂ）の耕耘爪を先端側から見た図、（ｂ）図３（ｂ）のＸ−Ｘ断面図。
【図５】図３（ａ）の耕耘爪の正面図。
【図６】（ａ）右側の耕耘爪の斜視図、（ｂ）図６（ａ）の耕耘爪の裏面の斜視図。
【図７】（ａ）図６（ｂ）の耕耘爪を先端側から見た図、（ｂ）図６（ｂ）のＹ−Ｙ断面図。
【図８】図６（ａ）の耕耘爪の正面図。
【図９】（ａ）耕耘爪を正回転させたときの耕耘土の移動を示す概念図、（ｂ）耕耘爪を逆回転させたときの耕耘土の移動を示す概念図。
【発明を実施するための形態】
【００１４】
以下では、耕耘爪２０Ｌ・２０Ｒが取り付けられる耕耘作業機（管理機）１について説明する。
【００１５】
図１に示すように、管理機１は、ロータリ作業型の管理機であり、耕耘作業や畝立て作業等の管理作業を行うことができる作業機である。管理機１は、ミッションケース１１、エンジン１２、燃料タンク１３、及び走行輪１４等を備える。
なお、本明細書において機体１０とは、ミッションケース１１、エンジン１２、及び燃料タンク１３等を合わせたもの、すなわち管理機１の本体を指す。
【００１６】
機体１０の前部にはエンジン１２が配置される。エンジン１２の上方には燃料タンク１３が備えられる。エンジン１２の後方にはミッションケース１１が配置される。ミッションケース１１は、トランスミッションを内装するケースである。
【００１７】
ミッションケース１１の前下部には、左右の走行輪１４が回転可能に支持される。
【００１８】
ミッションケース１１の後下部には、爪軸１６が回転可能に支持される。爪軸１６は、ミッションケース１１の左右両側方に突出するように設けられ、その外周面上に複数の耕耘爪２０Ｌ・２０Ｒが固定される。爪軸１６は、正逆回転可能に構成されている。そして、耕耘爪２０Ｌ・２０Ｒは、爪軸１６と共に一体回転するように構成されている。耕耘爪２０Ｌ・２０Ｒの詳細な説明は後述する。耕耘爪２０Ｌ・２０Ｒの後方には、補助輪１７が設けられている。
【００１９】
エンジン１２からの動力は、ミッションケース１１に伝達されて、ミッションケース１１内で、前記トランスミッションにより変速されると共に走行用動力と耕耘爪用動力に分離された後、走行輪１４及び爪軸１６にそれぞれ出力される。これにより、走行輪１４及び耕耘爪２０Ｌ・２０Ｒがそれぞれ回転駆動する。
【００２０】
機体１０の後部には、操作部３０が設けられている。操作部３０には、ハンドル３１、変速レバー３２、爪軸１６（耕耘爪２０Ｌ・２０Ｒ）の回転方向を正逆切り替えるための切替操作具（不図示）等、管理機１を人為的に操作するための各種操作具が設けられている。
【００２１】
以下では、耕耘爪２０Ｌ・２０Ｒについて説明する。
【００２２】
図２に示すように、耕耘爪２０Ｌ・２０Ｒは、機体１０の幅方向（左右幅方向）Ｗに複数設けられている。
耕耘爪２０Ｌ・２０Ｒは、湾曲した板形状を有している。耕耘爪２０Ｌ・２０Ｒは、互いに対称な形状に形成されている。耕耘爪２０Ｌは、ミッションケース１１の左側に設けられており、耕耘爪２０Ｒは、ミッションケース１１の右側に設けられている。耕耘爪２０Ｌ・２０Ｒは、本実施形態では六つづつ設けられている。
【００２３】
図３（ａ）〜図８に示すように、耕耘爪２０Ｌ・２０Ｒの取付基部２１Ｌ・２１Ｒ、及び爪軸１６の外周側面に形成される取付フランジ１８Ｌ・１８Ｒにはボルト孔がそれぞれ形成されている。耕耘爪２０Ｌ・２０Ｒの取付基部２１Ｌ・２１Ｒは、爪軸１６の取付フランジ１８Ｌ・１８Ｒにボルト、ナット等でそれぞれ取り付けられており、爪軸１６と一体回転する。
【００２４】
耕耘爪２０Ｌ・２０Ｒの正回転時の打込み側部分２２Ｌ・２２Ｒ、及び逆回転時の打込み側部分２４Ｌ・２４Ｒの内の、一方の打込み側部分２２Ｌ・２２Ｒの内側面には、内側湾曲面２３Ｌ・２３Ｒがそれぞれ形成されており、他方の打込み側部分２４Ｌ・２４Ｒの外側面には、外側湾曲面２５Ｌ・２５Ｒがそれぞれ形成されている。
【００２５】
図３（ａ）、図４（ｂ）、図６（ａ）及び図７（ｂ）に示すように、内側湾曲面２３Ｌ・２３Ｒは、一方の打込み側部分２２Ｌ・２２Ｒの内側面（機体１０の幅方向Ｗ内側の面）に形成されている。内側湾曲面２３Ｌ・２３Ｒは、取付基部２１Ｌ・２１Ｒ側から先端に向かうに伴って機体１０の幅方向Ｗ内側（ミッションケース１１側）に向かうように湾曲する形状を有している。
また、内側湾曲面２３Ｌ・２３Ｒは、正回転方向下流側に向かうに従い、すなわち、一方の打込み側部分２２Ｌ・２２Ｒから打ち込まれるときの回転方向下流側に向かうに従い、機体１０の幅方向Ｗ内側に傾く形状を有している。
【００２６】
図３（ｂ）、図４（ｂ）、図６（ｂ）、及び図７（ｂ）に示すように、外側湾曲面２５Ｌ・２５Ｒは、他方の打込み側部分２４Ｌ・２４Ｒの外側面（機体１０の幅方向Ｗ外側の面）に形成されている。外側湾曲面２５Ｌ・２５Ｒは、取付基部２１Ｌ・２１Ｒ側から先端に向かうに伴って機体１０の幅方向Ｗ外側に向かうように湾曲する形状を有している。
また、外側湾曲面２５Ｌ・２５Ｒは、逆回転方向下流側に向かうに従い、すなわち、他方の打込み側部分２４Ｌ・２４Ｒから打ち込まれるときの回転方向下流側に向かうに従い、機体１０の幅方向Ｗ外側に傾く形状を有している。
【００２７】
なお、内側湾曲面２３Ｌ・２３Ｒと、外側湾曲面２５Ｌ・２５Ｒは互いに対象（湾曲の程度（曲がり具合）が同一）である必要はなく、作業状況等に応じて湾曲の程度に差を有していてもよい。
【００２８】
図４（ｂ）及び図７（ｂ）に示すように、耕耘爪２０Ｌ・２０Ｒは、爪幅方向ＷＬ・ＷＲに平行な断面ＳＬ・ＳＲに関しては、一方の打込み側部分２２Ｌ・２２Ｒの断面ＳＬ１・ＳＲ１が、爪幅方向ＷＬ・ＷＲ外側に向かうのに伴って機体１０の幅方向Ｗ外側に離間し、他方の打込み側部分２４Ｌ・２４Ｒの断面ＳＬ２・ＳＲ２が、爪幅方向ＷＬ・ＷＲ外側に向かうのに伴って機体１０の幅方向Ｗ内側に離間するねじり形状を有する。
すなわち、耕耘爪２０Ｌ・２０Ｒは、一方の打込み側部分２２Ｌ・２２Ｒと、他方の打込み側部分２４Ｌ・２４Ｒが、ねじり中心ＯＬ・ＯＲで連結され、爪幅方向ＷＬ・ＷＲに対してオフセットして配置される形状を有する。
【００２９】
図４（ｂ）及び図７（ｂ）に示すように、一方の打込み側部分２２Ｌ・２２Ｒにおける機体１０の幅方向Ｗ外側への最大離間量（オフセット量）ＰＬ１・ＰＲ１が、他方の打込み側部分２４Ｌ・２４Ｒにおける機体１０の幅方向Ｗ内側への最大離間量（オフセット量）ＰＬ２・ＰＲ２よりも小さい（ＰＬ１＜ＰＬ２、ＰＲ１＜ＰＲ２）。
また、一方の打込み側部分２２Ｌ・２２Ｒの爪幅方向ＷＬ・ＷＲのサイズＷＬ１・ＷＲ１が、他方の打込み側部分２４Ｌ・２４Ｒの爪幅方向ＷＬ・ＷＲのサイズＷＬ２・ＷＲ２よりも小さい（ＷＬ１＜ＷＬ２、ＷＲ１＜ＷＲ２）。
従って、一方の打込み側部分２２Ｌ・２２Ｒが、他方の打込み側部分２４Ｌ・２４Ｒよりも小さい。
また、耕耘爪２０Ｌ・２０Ｒは、ねじり中心ＯＬ・ＯＲと、爪幅方向ＷＬ・ＷＲの中心ＯＬ'・ＯＲ'が異なっている（図４（ｂ）及び図７（ｂ）参照）。
【００３０】
図３（ａ）〜図８に示すように、耕耘爪２０Ｌ・２０Ｒの先端縁部には、切欠２７Ｌ・２７Ｒが形成されている。切欠２７Ｌ・２７Ｒは、耕耘爪２０Ｌ・２０Ｒの爪幅方向Ｗα中央部に配置されている。切欠２７Ｌ・２７Ｒにより、一方の打込み側部分２２Ｌ・２２Ｒの先端縁部と、他方の打込み側部分２４Ｌ・２４Ｒの先端縁部が分断されている。
耕耘爪２０Ｌ・２０Ｒには、内側湾曲曲げ部２８Ｌ・２８Ｒと外側湾曲曲げ部２９Ｌ・２９Ｒが形成されている。内側湾曲曲げ部２８Ｌ・２８Ｒは、切欠２７Ｌ・２７Ｒの周辺において、一方の打込み側部分２２Ｌ・２２Ｒ側の先端縁部を、機体１０の幅方向Ｗ内側に突出させた形状を有する。外側湾曲曲げ部２９Ｌ・２９Ｒは、切欠２７Ｌ・２７Ｒの周辺において、他方の打込み側部分２４Ｌ・２４Ｒ側の先端縁部を、機体１０の幅方向Ｗ外側に突出させた形状を有する。
【００３１】
図３（ａ）及び図５（ａ）に示すように、耕耘爪２０Ｌ・２０Ｒの正回転時には、耕耘爪２０Ｌ・２０Ｒの一方の打込み側部分２２Ｌ・２２Ｒから土壌に打ち込まれる。このとき、一方の打込み側部分２２Ｌ・２２Ｒの内側湾曲面２３Ｌ・２３Ｒは、耕耘土５０をすくって、そして、すくった耕耘土５０を機体１０の幅方向Ｗ内側（内盛側）に向かって移動させる（飛ばす）こととなる。
従って、耕耘爪２０Ｌ・２０Ｒを正回転させることによって、耕耘爪２０Ｌ・２０Ｒの内側湾曲面２３Ｌ・２３Ｒにより耕耘土５０を機体１０の幅方向Ｗ内側（内盛側）に向かって移動させて、内盛耕耘を行い、内盛りの畝を成形することが可能となる。
【００３２】
図３（ｂ）及び図７（ｂ）に示すように、耕耘爪２０Ｌ・２０Ｒの逆回転時には、耕耘爪２０Ｌ・２０Ｒの他方の打込み側部分２４Ｌ・２４Ｒから土壌に打ち込まれる。このとき、他方の打込み側部分２４Ｌ・２４Ｒの外側湾曲面２５Ｌ・２５Ｒは、耕耘土５０をすくって、そして、すくった耕耘土５０を機体１０の幅方向Ｗ外側（外盛側）に向かって移動させる（飛ばす）こととなる。
従って、耕耘爪２０Ｌ・２０Ｒを逆回転させることによって、耕耘爪２０Ｌ・２０Ｒの外側湾曲面２５Ｌ・２５Ｒにより耕耘土５０を機体１０の幅方向Ｗ外側（外盛側）に向かって移動させて、外盛耕耘を行い、外盛りの畝を成形することが可能となる。
【００３３】
以上のように構成することで、耕耘爪２０Ｌ・２０Ｒの回転方向を変更することで、耕耘爪２０Ｌ・２０Ｒによる耕耘土の移動方向を、機体１０の幅方向Ｗ内側（内盛側）と、機体１０の幅方向Ｗ外側（外盛側）の間で切り換えることが可能となる（図９（ａ）及び図９（ｂ）参照）。従って、耕耘土の移動方向を内盛側と外盛側の間で円滑に切り替えることが可能となる。
【００３４】
また、図４（ｂ）及び図７（ｂ）に示すように、ＰＬ１＜ＰＬ２、ＰＲ１＜ＰＲ２、ＷＬ１＜ＷＬ２、及びＷＲ１＜ＷＲ２となるように構成することで、耕耘爪２０Ｌ・２０Ｒの正回転時には、一方の打込み側部分２２Ｌ・２２Ｒにより耕耘されるので、移動させる耕耘土５０の量を少なくし、かつ、横方向への耕耘土５０の移動を少なくすることが可能となる。従って、整地性能を重視した耕耘作業を行うことが可能となる。
また、耘爪２０Ｌ・２０Ｒの逆回転時には、他方の打込み側部分２４Ｌ・２４Ｒにより耕耘されるので、移動させる耕耘土５０の量を多くし、横方向への耕耘土５０の移動を多くし、かつ、耕耘土５０を遠くまで移動させることが可能となる。従って、溝上げ性能を重視した耕耘作業を行うことが可能となる。
【００３５】
また、耕耘爪２０Ｌ・２０Ｒの先端縁部に切欠２７Ｌ・２７Ｒを形成することで、耕耘爪２０Ｌ・２０Ｒを回転させて耕耘作業を行う際に、耕耘爪２０Ｌ・２０Ｒの耕盤面に接する部分の距離が、切欠２７Ｌ・２７Ｒの分だけ短くなる。これにより、耕耘作業の際に、耕耘爪２０Ｌ・２０Ｒが土壌から受ける負荷を減少させることができる。従って、耕耘作業の際に、管理機１の振動を減少させることができ、管理機１の馬力負荷の増大や負荷変動の増大を抑えることが可能となる。
【００３６】
また、切欠２７Ｌ・２７Ｒの摩耗量を基にして、耕耘爪２０Ｌ・２０Ｒの交換時期を判断することが可能であり、切欠２７Ｌ・２７Ｒを耕耘爪２０Ｌ・２０Ｒの交換時期を判断するための目安として用いることが可能である。
【００３７】
また、耕耘爪２０Ｌ・２０Ｒに内側湾曲曲げ部２８Ｌ・２８Ｒと、外側湾曲曲げ部２９Ｌ・２９Ｒを形成することで、耕耘爪２０Ｌ・２０Ｒを正回転させて、内側湾曲曲げ部２８Ｌ・２８Ｒで耕耘土５０を飛ばす場合は、内側湾曲曲げ部２８Ｌ・２８Ｒで土を削り取るので、外側湾曲曲げ部２９Ｌ・２９Ｒが土壌に強く接触することを回避できる。また、耕耘爪２０Ｌ・２０Ｒを逆回転させて、外側湾曲曲げ部２９Ｌ・２９Ｒで耕耘土５０を飛ばす場合は、外側湾曲曲げ部２９Ｌ・２９Ｒで土を削り取るので、内側湾曲曲げ部２８Ｌ・２８Ｒが土壌に強く接触することを回避できる。これにより、耕耘作業の際に、管理機１の振動を減少させることができ、管理機１の馬力負荷の増大や負荷変動の増大を抑えることが可能となる。
【００３８】
また、切欠２７Ｌ・２７Ｒの周辺に、内側湾曲曲げ部２８Ｌ・２８Ｒと、外側湾曲曲げ部２９Ｌ・２９Ｒを形成することで、耕耘爪２０Ｌ・２０Ｒにより耕耘土５０を飛ばす能力を向上させることができ、耕耘爪２０Ｌ・２０Ｒの耕耘性能を向上させることができる。
【００３９】
また、耕耘爪２０Ｌ・２０Ｒの先端縁部に切欠２７Ｌ・２７Ｒを形成することで、耕耘爪２０Ｌ・２０Ｒの先端縁部に曲げ加工を施して湾曲曲げ部２８Ｌ・２８Ｒ・２９Ｌ・２９Ｒを形成する際に、素材が破断することを防ぐことができ。これにより、耕耘爪２０Ｌ・２０Ｒに対して安定的に湾曲曲げ部２８Ｌ・２８Ｒ・２９Ｌ・２９Ｒを形成して、湾曲曲げ部２８Ｌ・２８Ｒ・２９Ｌ・２９Ｒの曲げ高さ量を稼ぐことが可能となる。
【００４０】
図４（ｂ）及び図７（ｂ）に示すように、耕耘爪２０Ｌ・２０ＲのＰＬ１・ＰＬ２、ＰＲ１・ＰＲ２、ＷＬ１・ＷＬ２、及びＷＲ１・ＷＲ２の大きさは、本実施形態のものに限定されず、作業状況等に応じて適宜変更することが可能である。
【００４１】
図３（ａ）、図３（ｂ）、図６（ａ）、及び図６（ｂ）に示すように、一方の打込み側部分２２Ｌ・２２Ｒの基部には一側湾曲部２２Ｌ'・２２Ｒ'が形成され、他方の打込み側部分２４Ｌ・２４Ｒの基部には他側湾曲部２４'Ｌ・２４'Ｒが形成される。また、一側湾曲部２２Ｌ'・２２Ｒ'の湾曲の程度（曲がり具合）と、他側湾曲部２４'Ｌ・２４'Ｒが互いに異なっている。
これにより、作業者が、耕耘爪２０Ｌ・２０Ｒを管理機１に取り付けるときに、取り付け方向を一側湾曲部２２Ｌ'・２２Ｒ'及び他側湾曲部２４'Ｌ・２４'Ｒに基づいて判断すればよいので、取り付けミスを防げる。
【００４２】
なお、耕耘爪２０Ｌ・２０Ｒを左右逆に配置してもよい。すなわち、ミッションケース１１の左側に耕耘爪２０Ｒを配置して、ミッションケース１１の右側に耕耘爪２０Ｌを配置してもよい。
この場合、耕耘爪２０Ｌ・２０Ｒを正回転させることによって、内側湾曲面２３Ｌ・２３Ｒにより耕耘土を外盛側に向かって移動させることとなる。また、耕耘爪２０Ｌ・２０Ｒを逆回転させることによって、外側湾曲面２５Ｌ・２５Ｒにより耕耘土を内盛側に向かって移動させることとなる。
【００４３】
なお、耕耘爪２０Ｌ・２０Ｒ・４０Ｌ・４０Ｒが取り付けられる耕耘作業機は管理機１に限定されず、例えば、トラクタに連結されて牽引されるロータリ耕耘装置であってもよい。
【符号の説明】
【００４４】
１              管理機
２０Ｌ・２０Ｒ  耕耘爪
２１Ｌ・２１Ｒ  取付基部
２２Ｌ・２２Ｒ・２４Ｌ・２４Ｒ  打込み側部分
２３Ｌ・２３Ｒ  内側湾曲面
２５Ｌ・２５Ｒ  外側湾曲面
２７Ｌ・２７Ｒ  切欠
２８Ｌ・２８Ｒ  内側湾曲曲げ部
２９Ｌ・２９Ｒ  外側湾曲曲げ部
【図１】
2015195745.tif 000003
【図２】
2015195745.tif 000004
【図３】
2015195745.tif 000005
【図４】
2015195745.tif 000006
【図５】
2015195745.tif 000007
【図６】
2015195745.tif 000008
【図７】
2015195745.tif 000009
【図８】
2015195745.tif 000010
【図９】
2015195745.tif 000011